(57)【要約】      （修正有）【課題】袖パネルが簡単に開けられないように防止又は極力回避されながら、その開き作業の簡単化を図し、住人が居なくても袖パネルの点検整備を可能として、実際の使い勝手が向上する改善された袖パネル、並びに袖パネル付ドアを提供する。【解決手段】機能設備Ｅが装備され、かつ、建物の固定部に取付可能な枠体１に支持されるパネル材４を有して成る袖パネル３において、パネル材４が揺動開閉可能に枠体１に枢支され、パネル材４の閉じ姿勢から開き姿勢へ向けての開き揺動を阻止するロック機構Ｂが装備され、パネル材４を、これを重力によって下方に押圧付勢する力に抗して上方に強制移動させてからの開き方向への操作により、ロック機構Ｂが解除されてパネル材４の開き揺動移動が可能となるロック解除機構Ｃが装備される。【選択図】図４
2010229753.tif 000002
【特許請求の範囲】
【請求項１】
機能設備が装備され、かつ、建物の固定部に取付可能な枠体に支持されるパネル材を有して成る袖パネルであって、
前記パネル材が揺動開閉可能に前記枠体に枢支され、前記パネル材の閉じ姿勢から開き姿勢へ向けての開き揺動を阻止するロック機構が装備されるとともに、前記パネル材を、これを揺動軸の軸心方向の一方に押付る付勢力に抗して軸心方向の他方に強制移動させてからの開き方向への操作により、前記ロック機構が解除されて前記パネル材の開き姿勢への揺動移動が可能となるロック解除機構が装備されている袖パネル。
【請求項２】
前記ロック機構が、前記枠体から枠内側に向けて突設されるストッパ具と、前記パネル材から延設されて前記ストッパ具の裏側に廻り込む引掛り部を有する係止片とから成り、前記ロック解除機構が、前記パネル材の前記他方への強制移動によって前記引掛り部と前記ストッパ具との干渉が解かれて前記パネル材の開き揺動移動が可能となる状態に、前記ストッパ具と前記係止片との干渉量と前記パネル材の前記他方への移動量とを関係付ける構成とされている請求項１に記載の袖パネル。
【請求項３】
前記係止片を着脱可能に前記パネル材に取付ける構成と、前記ストッパ具を着脱可能に前記枠体に取付ける構成との少なくとも一方が設けられている請求項２に記載の袖パネル。
【請求項４】
前記ロック機構によって前記パネル材の開き揺動が阻止されている状態においては前記係止片を前記パネル材へ取付ける螺子の抜け出しが前記ストッパ具の存在によって規制される構成と、前記ロック機構によって前記パネル材の開き揺動が阻止されている状態においては前記ストッパ具を前記枠体に取付ける螺子の抜け出しが前記係止片の存在によって規制される構成との少なくとも一方が設けられている請求項２に記載の袖パネル。
【請求項５】
前記パネル材を閉じ姿勢に維持可能な閉じ姿勢維持手段が装備されている請求項１〜４の何れか一項に記載の袖パネル。
【請求項６】
前記閉じ姿勢維持手段がマグネットキャッチを有して構成されている請求項５に記載の袖パネル。
【請求項７】
前記一方が下方で前記他方が上方となるように前記揺動軸が前記パネル材の側方端部に設けた上下向きの縦軸であり、前記パネル材が重力によって下方に押付けられている請求項１〜６の何れか一項に記載の袖パネル。
【請求項８】
請求項１〜７の何れか一項に記載の袖パネルと、前記枠体に開閉自在に支承されるドア材とを有し、閉じ姿勢にある前記ドア材と閉じ姿勢にある前記パネル材とが横に並ぶ状態に設定されて成る袖パネル付ドア。
【発明の詳細な説明】
【技術分野】
【０００１】
本発明は、マンション等の玄関ドアに隣接させて配置される袖パネル、並びに袖パネル付ドアの改良に関するものである。
【背景技術】
【０００２】
袖パネルは、例えば特許文献１において開示されるように、主にマンションや分譲住宅の玄関ドアの横に隣接して配設されるのが一般的であり、インターホン等の電気設備や新聞受けといった機能設備が装備されている。特許文献１の図６に示されるように、従来の袖パネル（４３）は、玄関ドア（４２）の横傍において建物の壁（Ｗ）に着脱可能に外装配備される縦長矩形形状のものであり、玄関灯（４８）、ルームナンバー板（４５）、ネーム板（４６）、インターホン（４７）、新聞や郵便物を受ける外部ポスト（４９）等の各種機能設備（Ｅ）が装備されたパネル材（４４）から構成されている。
【０００３】
袖パネルは、建築時を除いて通常は閉じた姿勢に維持されているが、電気設備の修理、部品交換といった具合に、竣工後における点検や整備など、ごく稀には袖パネルを外してその内側を露呈させる必要がある。従って、一般的にはパネル材を開閉又は着脱することが可能な構造が採られており、その構成例として、特許文献２において開示されたものが知られている。
【０００４】
特許文献２で示される袖パネル付ドアにおいては、袖パネル用のパネル材（４）がその横方向の一側端に設けた縦軸心（Ｑ）回りで揺動開閉可能に枠体（１）に枢支されており、パネル材（４）とドア（２）との間に配備される中間縦枠（１６）から通されてパネル材（４）の開き側の側壁（４ａ）に螺着されるボルト（３４）を設けることにより、通常はパネル材（４）が閉じ姿勢に維持されるように構成されている。そして、そのボルト（３４）は、ドア（２）を閉じ姿勢に係止保持するための受止め機構（Ｕ）における中間縦枠（１６）に装備される箱状カバー（２３）の裏に位置するようにしてある。
【０００５】
つまり、受止め機構（Ｕ）の存在を利用してボルト（３４）を装着するための専用の構成が不要とされていて経済的、合理的である。加えて、受止め機構（Ｕ）によってボルト（３４）が外部から見えないように隠されているので、ドア（２）が閉じられているときは勿論、ドア（２）が開いているときでも、その構造を知る者以外の第三者によって不用意に袖パネル（３）が開かれるおそれがまずないようになる利点もあった。
【０００６】
ところが、上記「ボルト隠し構造」を有する袖パネル又はそれ付ドアにおける実際の使用状況において、次第に次のような不都合のあることが判ってきた。即ち、頻度は少ないにしても、いざ袖パネルを開けるには、いちいちドア用の受止め機構を取り外す作業及び再組付けする作業が必要であって面倒で煩わしい。しかも、受止め機構の不要な着脱によって組付け寸法誤差が生じ、却ってドアの開閉状況に悪影響を与えるおそれもある。
【０００７】
さらに、業者による袖パネル内部の電気工事やメンテナンスを行うときには、前記「その構造を知る者」、通常はそこの住人に在宅しててもらう必要があるから、住人にとっては外出などの行動に制約を受けるとともに、業者もその住人の都合に合わすしかなく、作業日が限られて段取り効率が悪くなるなど、双方にとって芳しいものではなかった。
【特許文献１】特開２００１−７７８９５号公報
【特許文献２】特許第４０１７６１５号公報
【発明の開示】
【発明が解決しようとする課題】
【０００８】
本発明の目的は、袖パネルが不用意に開けられてしまうことが防止又は極力回避されるようにしながら、袖パネルを開く作業の簡単化を図るとともに、住人が居なくても袖パネルの点検や整備を可能として、実際の使い勝手が向上する改善された袖パネル、並びに袖パネル付ドアを開発して提供する点にある。
【課題を解決するための手段】
【０００９】
請求項１に係る発明は、機能設備Ｅが装備され、かつ、建物の固定部１７に取付可能な枠体１に支持されるパネル材４を有して成る袖パネルにおいて、
前記パネル材４が揺動開閉可能に前記枠体１に枢支され、前記パネル材４の閉じ姿勢から開き姿勢へ向けての開き揺動を阻止するロック機構Ｂが装備されるとともに、前記パネル材４を、これを揺動軸２８の軸心Ｑ方向の一方に押付る付勢力に抗して軸心Ｑ方向の他方に強制移動させてからの開き方向への操作により、前記ロック機構Ｂが解除されて前記パネル材４の開き姿勢への揺動移動が可能となるロック解除機構Ｃが装備されていることを特徴とするものである。
【００１０】
請求項２に係る発明は、請求項１に記載の袖パネルにおいて、前記ロック機構Ｂが、前記枠体１から枠内側に向けて突設されるストッパ具２７と、前記パネル材４から延設されて前記ストッパ具２７の裏側に廻り込む引掛り部３５ａを有する係止片３５とから成り、前記ロック解除機構Ｃが、前記パネル材４の前記他方への強制移動によって前記引掛り部３５ａと前記ストッパ具２７との干渉が解かれて前記パネル材４の開き揺動移動が可能となる状態に、前記ストッパ具２７と前記係止片３５との干渉量ａと前記パネル材４の前記他方への移動量ｂとを関係付ける構成とされていることを特徴とするものである。
【００１１】
請求項３に係る発明は、請求項２に記載の袖パネルにおいて、前記係止片３５を着脱可能に前記パネル材４に取付ける構成と、前記ストッパ具２７を着脱可能に前記枠体１に取付ける構成との少なくとも一方が設けられていることを特徴とするものである。
【００１２】
請求項４に係る発明は、請求項２に記載の袖パネルにおいて、前記ロック機構Ｂによって前記パネル材４の開き揺動が阻止されている状態においては前記係止片３５を前記パネル材４へ取付ける螺子３４の抜け出しが前記ストッパ具２７の存在によって規制される構成と、前記ロック機構Ｂによって前記パネル材４の開き揺動が阻止されている状態においては前記ストッパ具２７を前記枠体１に取付ける螺子３３の抜け出しが前記係止片３５の存在によって規制される構成との少なくとも一方が設けられていることを特徴とするものである。
【００１３】
請求項５に係る発明は、請求項１〜４の何れか一項に記載の袖パネルにおいて、前記パネル材４を閉じ姿勢に維持可能な閉じ姿勢維持手段Ｄが装備されていることを特徴とするものである。
【００１４】
請求項６に係る発明は、請求項５に記載の袖パネルにおいて、前記閉じ姿勢維持手段Ｄがマグネットキャッチ３２を有して構成されていることを特徴とするものである。
【００１５】
請求項７に係る発明は、請求項１〜６の何れか一項に記載の袖パネルにおいて、前記一方が下方で前記他方が上方となるように前記揺動軸２８が前記パネル材４の側方端部に設けた上下向きの縦軸であり、前記パネル材４が重力によって下方に押付けられていることを特徴とするものである。
【００１６】
請求項８に係る発明は、袖パネル付ドアにおいて、請求項１〜７の何れか一項に記載の袖パネル３と、前記枠体１に開閉自在に支承されるドア材２Ａとを有し、閉じ姿勢にある前記ドア材２Ａと閉じ姿勢にある前記パネル材４とが横に並ぶ状態に設定されて成ることを特徴とするものである。
【発明の効果】
【００１７】
請求項１の発明によれば、パネル材の閉じ姿勢から開き姿勢へ向けての開き揺動を阻止するロック機構が装備されているので、第三者などが勝手に袖パネルを開けることが抑制又は回避されるようになる。そして、ロック機構が解除されてパネル材の開き姿勢への揺動移動が可能となるロック解除機構も装備されているから、パネル材を揺動軸の軸心方向の一方に押付る付勢力に抗して軸心方向の他方に強制移動させてからの開き方向への操作により、袖パネルを開くことが可能である。つまり、袖パネルを軸心方向他方に強制移動させてから開く、という特殊な操作を行わない限りは開くことができようになっている。換言すれば、その特殊な操作を行えば専用の鍵が無くても（住人が居なくても）袖パネルを開くことが可能である。その結果、袖パネルが不用意に開けられてしまうことが防止又は極力回避されるようにしながら、袖パネルを開く作業の簡単化を図るとともに、住人が居なくても袖パネルの点検や整備を可能として、実際の使い勝手が向上する改善された袖パネルを提供することができる。
【００１８】
請求項２の発明によれば、詳しくは実施形態の項にて説明するが、枠体に突設されるストッパ具とパネル材から延設される係止片とを、これら両者の干渉量とパネル材の他方への移動量とを関係付けて設ける簡単で廉価な構成により、請求項１の発明による前記効果を合理的で経済的に奏することができる利点がある。
【００１９】
請求項３の発明によれば、係止片が着脱可能にパネル材に取付けられる構成と、ストッパ具が着脱可能に枠体に取付けられる構成との少なくとも一方が設けられているから、袖パネルの施工時（建築時）には係止片及び／又はストッパ具を外しておき、前述した特殊な操作（袖パネルを軸心方向他方に強制移動させてから開く操作）を行うことなく簡単で便利に袖パネルを開閉できる。そして、施工後には係止片及び／又はストッパ具を装着し、ロック機構及びロック解除機構が機能する本来の状態にセットすることができるものであり、実使用に適した取扱い性に優れる袖パネルを提供することができる。
【００２０】
請求項４の発明によれば、ロック機構が機能しているとき、即ち袖パネルが閉じ姿勢にあるときには、係止片及び／又はストッパ具が互いの存在によってそれらの取付用螺子を介して外れないように牽制されている。従って、無理に開けようとする操作の繰り返しや外部振動などが袖パネルに加えられることで螺子が弛むとか、或いはもともと螺子が弛んでいるといった不測の自体が生じても、係止片やストッパ具が脱落せず信頼性に優れる袖パネルを提供することができる。
【００２１】
請求項５の発明によれば、ごく僅かに開き揺動してからロックされるといった具合に、ロック機構によって開き移動が阻止される状態に多少のガタつきがあっても、閉じ姿勢維持手段によって袖パネルが閉じ姿勢に維持されるようになる。従って、請求項１〜４のいずれかの発明による効果を得ながらも袖パネルを安定的に閉じ姿勢に維持可能となる利点がある。この場合、請求項６のように、閉じ姿勢維持手段として、廉価ながら安定して機能するマグネットキャッチを用いれば好都合である。
【００２２】
請求項７の発明によれば、前述の「特殊な操作」が、袖パネルを持上げながら引張り出すという操作となり、ロック解除機構が、パネル材の揺動軸を縦向きとして上下に多少移動可能とする重力を利用しての簡単で廉価な構造でありながら確実に機能するものとなる利点が得られる。
【００２３】
請求項８の発明によれば、マンション、ビル、或いは戸建住宅に好適な袖パネル付ドアを、請求項１〜７のいずれかの発明による前記効果を奏する状態で提供することができる利点がある。
【発明を実施するための最良の形態】
【００２４】
以下に、本発明による袖パネル及び袖パネル付ドアの実施の形態を、図面を参照しながら説明する。図１は袖パネル付玄関ドアの略正面図、図２は袖パネル等の支持構造を示す横断面図、図３は袖パネルの揺動支持構造を示す縦断面図、図４は袖パネルの簡易ロック構造を示す要部の縦断面図、図５（ａ）は袖パネルの単純持上げ工程、（ｂ）は袖パネルの持上げ引張り工程、図６はロック機構及び受止め機構の構造を示す拡大の横断面図、図７は受止め機構の構成を示す分解斜視図、図８〜１０は第１別実施例、図１１，１２は第２別実施例、図１３，１４は第３別実施例である。
【００２５】
〔実施例１〕
図１はマンション用の袖パネル付玄関ドア（袖パネル付ドアの一例）Ａを示している。この袖パネル付玄関ドアＡは、建物の躯体側である固定部１７に取付けられるドア枠（枠体の一例）１と、ドア枠１に開閉自在に支承される玄関ドア（ドアの一例）２と、各種機能設備Ｅが装備され、かつ、玄関ドア２の向って左側に隣接する状態でドア枠１に支持されるパネル材４から成る袖パネル３とから構成されている。玄関ドア２は、向って右側の端部に設定される上下向きのドア支点Ｐ周りで揺動開閉自在にドア枠１に支承されるドア材２Ａに、上下二箇所の鍵５、取っ手（把手）６、デザイン部７等を設けて構成されている。
【００２６】
袖パネル３は、パネル材４をその向って左側の端部に設けた上下向きの揺動支点Ｑ周りで揺動開閉可能にドア枠１に支承されて成り、パネル材４を、閉じ状態の玄関ドア２と平行な姿勢とすべく閉じ揺動された作用姿勢（図１に実線で示す姿勢）と、パネル材４の背面４Ｈを露呈すべく開き揺動されたメンテナンス姿勢（図１に仮想線で示す姿勢）とに切換可能に構成されている。パネル材４には、上から玄関灯８、ネーム札９、インターホン１０、新聞や郵便物等を収容するための外部ポスト１１等から成る種々の機能設備Ｅが装備されている。
【００２７】
ドア枠１は、図１，図２に示すように、型材やチャンネル材等から成る左右の縦枠材１２，１３、上下の横枠部材１４，１５、型材やチャンネル材等から成る中間縦枠材（中間縦枠部）１６等を有して構成されており、例えば、躯体であり固定部でもある金属枠等の固定部１７にボルト止め固定される。これら枠材１２〜１６は、例えば下側の横枠部材１５をステンレス材から形成し、その他の枠材１２〜１４，１６はアルミ合金等から形成する構造が多く採られるが、それに限定されるものではなく、鋼板材を用いても良い。
【００２８】
右縦枠材１３と中間縦枠材１６は、これらの間に通過用空間Ｓを形成するとともに、ゴム等によるシール材１８，１９を支持する部分にも相当するように前後方向に若干の幅を有した内壁面１３ａ，１６ａが形成されている。尚、図２〜図４に破線で示すように、各枠材１２〜１６は、それぞれの長手方向の複数箇所に溶着等によって一体的に設けられる板材製のブラケット１２ｒ〜１６ｒを用いて固定部１７への取付けや補強が行われている。
【００２９】
玄関ドア２は、図１，図２に示すように、上下の横枠材１４，１５のそれぞれに亘る状態の支軸２０を介してドア支点Ｐを中心に揺動開閉自在にドア枠１に枢支されている。玄関ドア２は、横断面が半円形状を呈する曲面のドア支点側端面２ａを有する押出し材製の端面材２ｃを備えるとともに、内部にはグラスウール等の防音断熱材２１が充填されるのが望ましい中空箱状となるように板金材で形成されるドア材２Ａを有して構成されている。また、玄関ドア２の向って左端（袖パネル側端）には、中間縦枠材１６の前面における略右側半分を覆って隠す庇状部２ｂが形成されている。
【００３０】
中間縦枠材１６には、図６，図７に示すように、玄関ドア２に装備される鍵５（図１参照）の出退シリンダ５ｓを挿脱自在な受止め機構Ｕが構成されている。受止め機構Ｕは、中間縦枠材１６の右前側壁（ドア側の側壁部分の一例）１６ｂに形成される縦長の開口部２２と、この開口部２２に挿入自在な箱状カバー（トロカバー）２３と、箱状カバー２３の外側から中間縦枠材１６にボルト止めされる下地板２４と、下地板２４を覆う外装品である薄箱状の化粧カバー２５とから構成されている。中間縦枠材１６における開口部２２の上及び下で奥側（屋内側）に寄った箇所には、計２箇所のナット部１６ｎが形成されている。
【００３１】
箱状カバー２３は、出退シリンダ５ｓの挿入及び離脱が自在な右側面開放の箱部２３Ａと、その上下において折り返された上下一対の取付板部２３ａとを有したバネ板等の弾性を有した板材で形成されており、箱部２３Ａが中間縦枠材１６の開口部２２に丁度嵌り込むように寸法設定されている。下地板２４は、出退シリンダ５ｓの挿通が自在な開口部２４ａが形成された支持板部２４Ａと、箱状カバー側に寄った状態に位置する上下一対の取付板部２４ｂとを備えた板金材で形成されている。支持板部２４Ａの上下夫々にはナット部２４ｎが形成され、各取付板部２４ｂにはボルト挿通用孔２４ｈが形成されている。
【００３２】
化粧カバー２５は、出退シリンダ５ｓの挿入及び離脱が自在な開口部２５ｋを有した頂壁２５ａと、略台形を呈する左右の（玄関ドアに向って前後の）側壁２５ｂと、上下の傾斜壁２５ｃとを有した箱状のものに構成されている。頂壁２５ａの上下にはボルト挿通用の貫通孔２５ｈが形成されている。
【００３３】
箱状カバー２３、下地板２４、化粧カバー２５の三者は、図６，図７に示すように、先ず、下地板２４を、これと中間縦枠材１６の右前側壁１６ｂとの間に上下の取付板部２３ａを挟み込んだ状態としてから、一対の内ボルト（ナベビス）２６を挿通用孔２４ｈを通してナット部１６ｎに螺着することにより、箱状カバー２３と共に中間縦枠材１６に固定する。つまり、箱状カバー２３は、その上下一対の取付板部２３ａが弾性変形されることによる押圧力によって付勢支持されている。それから、一対の装着ボルト（皿ビス）２７を貫通孔２５ｈを通してナット部２４ｎに螺着することにより、箱状カバー２３及び下地板２４を覆う状態に化粧カバー２５を下地板２４に、即ち中間縦枠材１６に取付ける。
【００３４】
玄関ドア２が閉じられた状態で鍵５が施錠操作されると、出退シリンダ５ｓが、開口部２５ｋ及び開口部２４ａを通って箱状カバー２３の箱部２３Ａに入り込み（図５参照）、玄関ドア２が閉じ状態から開かないようにロックされる。玄関ドア２が開かれて、中間縦枠材１６が露出されても、その開口部２２は化粧カバー２５で見栄え良く覆われており、受止め機構Ｕとしての外観向上を果たしている。
【００３５】
次に、袖パネル３について説明する。袖パネル３は、図１〜図４に示すように、中空箱状のパネル材４の向って左端部における前端部の上下に、パネル支点Ｑを中心とする上下の支軸（揺動軸の一例）２８，２９を設けてあり、上支軸２８は上横枠材１４に、かつ、下横枠材１５に支持される下支軸２９はパネル材４に夫々枢支されている。つまり、パネル材４を揺動開閉可能にドア枠１に枢支することで袖パネル３が構成されている。下支軸２９は、下横枠材１５に圧入支持される下軸部２９ａと、パネル材４に溶着固定される長角ブロック４０の支持穴４０ａに挿入自在な上軸部２９ｂと、これら両軸部２９ａ，２９ｂの間のフランジ部２９ｃとから成り、ワッシャ３０を介して下横枠材１５に固定されている。
【００３６】
上支軸２８は、上横枠材１４に溶着された角ブロック３６の穴３６ａに挿入されて枢支状態となる突出作用位置と、下方にスライド移動して上横枠材１４と高さ方向で干渉しない下降退出位置（図３の仮想線の位置参照）とに切換可能であり、かつ、自由状態では突出作用位置に維持されるように上支軸２８を上昇付勢する機構３１が装備されている。尚、図３等において、Ｆは床（マンションの廊下）であり、Ｗは外壁である。また、パネル材４には、中間縦枠材１６の前面の略左側半分を覆って隠す薄板部４ｂ、並びに表面側に積層配備される薄肉の化粧材４ｃが設けられている。
【００３７】
上昇付勢機構３１は、パネル材４に固定される支持金具３７と、この支持金具３７に対して上支軸２８を上方に突出付勢する巻きバネ３８とから構成されている。支持金具３７は、上支軸２８の上下部分を回動自在及び上下スライド移動自在に支持する断面Ｃ字形状の軸受部３７ａと、これら上下の軸受部３７ａを一体連結する状態でパネル材４の内壁面に溶着固定される断面略Ｌ字形状の本体部３７Ａとから成る板金部材で構成されている。上支軸２８の下端部には、手指による上げ下げ操作用の操作片２８ａが側方突出支持され、その直上位置には上支軸２８の上昇移動を規制するためのＣ字型スナップリング３９が外装されている。そして、上支軸２８の上部には巻きバネ３８の上端受けとなる突起２８ｂが一体形成されており、このような構造により、通常の状態である自由状態では、上支軸２８の上端部が角ブロック３６に挿入される突出作用位置に付勢維持されている。そして、操作片２８ａの手指操作により、巻きバネ３８の付勢力に抗して上支軸２８を下降退出位置に下降スライド移動させることができる。
【００３８】
しかして、袖パネル３を枠体１に装着するには、袖パネル３を枠体１に対して開いた姿勢とした状態で、パネル材４の下部を下横枠材１５に植設支持されている下支軸２９に嵌め入れてから、上支軸２８を巻きバネ３１の付勢力に抗して手指で押し下げた状態としてパネル材４の上部を上横枠材１４の下方位置に移動し、その状態で手指の押し下げを開放して上支軸２８を角ブロック３６の穴３６ａに挿入し、上横枠材１４に支承させる、という操作手順になる。外す場合は上述の逆の操作（袖パネル３を開いた状態で上支軸２８を下げて上横枠材１４から外し、次いで、パネル材４を持上げて下支軸２９から抜き出す）を行えば良い。
【００３９】
次に、袖パネル３の特徴構造について説明する。それは、袖パネル３を開き操作できないようにするロック機構Ｂと、そのロック機構Ｂのロック機能を解除して袖パネル３の開き操作を可能とするロック解除機構Ｃとが設けられていることである。即ち、図２，図４に示すように、パネル材４の閉じ姿勢から開き姿勢へ向けての開き揺動を阻止するロック機構Ｂが装備されるとともに、パネル材４を、これを万有引力によって下方（「揺動軸２８，２９の軸心Ｑ方向の一方」の一例）に押付る付勢力（重力）に抗して上方（「軸心Ｑ方向の他方」の一例）に強制移動させてからの開き方向への操作により、ロック機構Ｂが解除されてパネル材４の開き姿勢への揺動移動が可能となるロック解除機構Ｃが装備されている。
【００４０】
ロック機構Ｂは、図２，図４に示すように、下横枠部材１５の上面に取り付けられる上向き開放状のチャンネル材で成る支持部材２６に第１ビス３３で螺着されるストッパ具２７と、パネル材４の裏面側のフランジ部４ｄに第２ビス３４で螺着される係止片３５とから成る。ロック機構Ｂは、ドア枠１から枠内側に向けて突設されるストッパ具２７と、パネル材４から延設されてストッパ具２７の裏側に廻り込む引掛り部３５ａを有する係止片３５とから構成されている。袖パネル３が閉じ状態にあるときは、片持ち状に垂下される引掛り部３５ａの下部と、ストッパ具２７の上部とが、上下方向には干渉しないが、パネル支点Ｑ回りの揺動移動方向で重なって干渉する状態（図４参照）に関係付けられて寸法設定されている。従って、閉じ姿勢にあるパネル材４を開き揺動すべく単純に引張っても、引掛り部３５ａとストッパ具２７とが干渉して開き移動が阻止されるようになっている。
【００４１】
ロック解除機構Ｃは、パネル材４の他方への強制移動によって引掛り部３５ａとストッパ具２７との上下方向の干渉が解かれてパネル材４の開き揺動移動が可能となる状態に、ストッパ具２７と係止片３５との上下方向での干渉量ａとパネル材４の上方への移動量ｂとを関係付けて設けることで構成されている。具体的には、パネル材４と上横枠部材１４との上下間隙の値（＝上方移動量）ｂと、引掛り部３５ａとストッパ具２７との上下方向での重なり長さ、即ち干渉量ａとを（ｂ＞ａ）に設定すること、即ち、上下の支軸２８，２９をガイドとしてパネル材４を所定量でもって上下移動可能にドア枠１に枢支させる構造により、ロック解除機構Ｃが構成されている。
【００４２】
袖パネル３の開き操作手順を説明すると、まず、図５（ａ）に示すように、外部ポスト１１を持つなどして作用姿勢（閉じ姿勢）にある袖パネル３を所定量、つまりは上下間隙ｂだけ上方に持上げ、係止片３５とストッパ具２７との干渉（上下干渉）を解き、ロック機構Ｂを解除（ロック解除）する。それから、その上方への持上げ状態を維持しながら、パネル材４を手前側（開き姿勢側）に引張って開き揺動移動させ、係止片３５とストッパ具２７との干渉がなく、従って、袖パネル３を作用姿勢（閉じ姿勢）から開き揺動移動できるものとなる。そして、袖パネル３を若干開き操作したら持上げ力を解いてワッシャ３０で支えられる自由状態に戻し、それからは単純に開き操作することにより、図５（ｂ）に示すように、完全な開き姿勢切換えることができる。
【００４３】
開き姿勢にある袖パネル３を閉じるには、まずパネル材４を閉じ方向に揺動移動させ、ほぼ作用姿勢（例：作用姿勢からパネル支点Ｑ回りの角度にして５〜１０度開いた姿勢）となるまで単純に閉じ揺動させる。そして、前記ほぼ作用姿勢に到達したら、外部ポスト１１を持つなどしてパネル材４を上限まで持上げてからの閉じ揺動、又は持上げながらの閉じ揺動を行い、係止片３５とストッパ具２７との上下干渉が生じないようにしながら作用姿勢（閉じ姿勢）となる限界まで閉じ揺動させる。それから、持上げを解除してパネル材４を下ろすことにより、係止片３５とストッパ具２７とが上下に干渉してロック機構Ｂが機能するロック状態（図４参照）になるのである。
【００４４】
このような構成の袖パネル３では、訪問者等の外観し得ないロック機構Ｂやロック解除機構Ｃの存在や構造を知らない者は、もし袖パネル３を開こうとした場合、パネル材４を持上げてから開き揺動させるなど思いも付かず単に引っ張るだけとなることが予測され、まず開くことはできないこととなって十分な施錠効果を得ることが可能である。これに対して、ロック機構Ｂ及びロック解除機構Ｃを知ってる者であれば、持上げて引っ張る操作で袖パネル３を開くことができる。
【００４５】
定期点検や修理等により、業者が袖パネル３を開けて作業する必要がある場合、従来では、袖パネルを開錠すべく作業時にはその住人に居てもらうか、或いは作業時刻を住人の在宅時に合わせるかという段取りが必要であり、作業には制限があった。これに対して本発明による袖パネル３では、ロック機構Ｂ及びロック解除機構Ｃを事前に知ることで、住人の有無に拘らずに袖パネルを開いての作業が可能であるから、作業時には住人が在宅しておく必要があり、その間は外出できないなどの制限が無いとともに、作業側も作業時間の上記制限が無く効率的に作業が行えて便利であり、双方にとって都合の良い袖パネル３又は袖パネル付玄関ドアＡを提供することができている。
【００４６】
また、図４に示すように、ブロック体状のストッパ具２７は、支持部材２６のパネル材側の側壁２６ａに互いの上端の高さ位置が同じとなる状態で、前側（パネル材側）から第１ビス３３で着脱可能に螺着されている。第１ビス３３の配置高さは、パネル材４の下端より少し上であり、袖パネル３が作用姿勢にあるときには第１ビス３３の前方近傍にパネル材４が存在しているから、第１ビス３３を若干弛めること可能であるが、ストッパ具２７が支持部材２６から外れるまで弛めることはできない構成とされている。
【００４７】
そして、図４に示すように、断面略下向きコ字状の係止片３５は、パネル材４のフランジ部４ｄの内側面に、後側（ストッパ具２７側）から第２ビス３４で着脱可能に螺着されている。第２ビス３４の配置高さは、支持部材２６の側壁２６ａの上部、即ちストッパ具２７の上部に相当しており、袖パネル３が作用姿勢にあるときには第２ビス３４の後方近傍に支持部材２６の側壁２６ａ及びストッパ具２７が存在しているから、第２ビス３４を若干弛めること可能であるが、係止片３５がフランジ部４ｄから外れるまで弛めることはできない構成とされている。つまり、ロック機構Ｂによってパネル材４の開き揺動が阻止されている状態においては、係止片３５をパネル材４へ取付ける第２ビス（螺子の一例）３４の抜け出しがストッパ具２７（支持部材２６でもある）の存在によって規制される構成が採られている。
【００４８】
パネル材４を作用姿勢（閉じ姿勢）に維持可能な閉じ姿勢維持手段Ｄが装備されており、この閉じ姿勢維持手段Ｄは、中間縦枠材１６の左張出し部１６ｃの段差全壁１６ｄに磁着可能なマグネットキャッチ３２をパネル材４に設けることで構成されている。マグネットキャッチ３２は、図２，図６に示すように、パネル材４の右端部の上下中間位置において内装されたマグネット３２ａと、金属板材製のキャッチ３２ｂとで成り、マグネット３２ａの磁力を受けるキャッチ３２ｂが中間縦枠材１６の段差全壁１６ｄに磁力吸引されることで袖パネル３の作用姿勢を磁力で維持可能になっている。
【００４９】
袖パネル３を作用姿勢に維持可能なマグネットキャッチ３２を有する閉じ姿勢維持手段Ｄを設けてあるので、工事途中で他所に行く等の一旦袖パネル３を閉じる必要の有る場合には、直ぐに開けるよう袖パネル３を簡単に作用姿勢に維持できて便利である。それにより、風が吹くなどによって袖パネル３がばたつくことも無く好都合である。また、袖パネル３を閉じた作用姿勢に係止維持可能なロック機構Ｂを設けてあるので、不用意に袖パネル３が開いて他物に当たるとか、悪戯されるといったおそれが無く、作用姿勢を良好に維持できる利点がある。
【００５０】
尚、袖パネル３の工事中（建築中）における磁力の弱いマグネットキャッチと、工事終了後（竣工後）の磁力の強いマグネットキャッチとの付け替えが可能にパネル材４を構成しておけば、工事中には開閉操作が行い易く、滅多に開けることがない竣工後には不用意に開くことが無いよう作用姿勢（閉じ姿勢）が強く維持できて好都合である。
【００５１】
〔実施例２〕
袖パネル３のロック機構Ｂは、図８に示す構成でも良い。即ち、実施例２によるロック機構Ｂは、パネル材４の下端部、上下中間部、上端部のそれぞれに配備される第１〜第３ロック機構Ｂ１〜Ｂ３によって構成されている。第１ロック機構Ｂ１（Ｂ）は、図８，図９に示すように、フランジ部４ｄにビス止めされる逆Ｌ字プレート４１にブロック体４２が垂下状態でビス止めされて成る第１係止片４３と、支持部材２６とで構成されている。袖パネル３が作用姿勢にあるとき、支持部材２６の側壁２６ａとブロック体４２とが干渉量ａでもって揺動移動方向にて干渉する設定になっている。
【００５２】
第２ロック機構Ｂ２（Ｂ）は、、図８に示すように、パネル材４の中間補強材４ｅにビス止めされる略Ｚ状プレート４４にブロック体４２が垂下状態でビス止めされて成る第２係止片４５と、左縦枠材１２と中間縦枠材１６とに亘って架設される中間支持材４６に載置固定されるＬ字受止め材４７とで構成されている。袖パネル３が作用姿勢にあるとき、Ｌ字受止め材４７の縦壁部４７ａとブロック体４２とが干渉量ａでもって揺動移動方向にて干渉する設定になっている。
【００５３】
第３ロック機構Ｂ３（Ｂ）は、図８，図１０に示すように、パネル材４の上側のフランジ部４ｄにビス止めされるＬ字プレート４８にブロック体４２が垂下状態でビス止めされて成る第３係止片４９と、左縦枠材１２と中間縦枠材１６とに亘って架設されるチャンネル材製の上部支持材５０とで構成されている。袖パネル３が作用姿勢にあるとき、上部支持材５０の下フランジ壁５０ａとブロック体４２とが干渉量ａでもって揺動移動方向にて干渉する設定になっている。
【００５４】
このように上下３箇所のロック機構Ｂを有することにより、多少パネル材４の剛性が弱くても、外部ポスト等をもって袖パネル３を開き操作する際にパネル材４が大きく撓んでしまうとか、それによってパネル材４が曲がる等の不都合なく、作用姿勢を維持させることが可能である。尚、図１０に示すように、作用姿勢にある袖パネル３のガタツキを回避すべく、パネル材４のフランジ部４ｄと段差全壁１６ｄとの間に介装される戸当りゴム５１を設けておけば好都合である。戸当りゴム５１は段差全壁１６ｄに接着等によって止着されるのが望ましいが、フランジ部４ｄに止着されても良い。
【００５５】
〔実施例３〕
袖パネル３のロック機構Ｂは、図１１，図１２に示す構成でも良い。即ち、実施例３によるロック機構Ｂは、袖パネル３の裏枠部５２にビス３４で止められる板金製の係合ステー５３と、段差前壁１６ｄにビス３３で止められる被係合ステー５４とで成り、上下の２箇所に設けられている。袖パネル３が作用姿勢にあるときは、図１１に示すように、各ステー５３，５４の先端部５３ａ，５４ａ どうしが上下長さａでもって互いに引っ掛かって干渉しており、パネル材４の開き揺動を阻止している。
【００５６】
各ステー５３，５４の先端面５３ｂ，５４ｂを、袖パネル３を持ち下ろして係合させるときに円滑な重なり挙動が得られるように、斜めにカットされた傾斜面に形成しておけば好都合である。又、係合ステー５３と被係合ステー５４とは互いに同一の部品であり、部品点数削減による管理の容易化やコストダウンが図られている。袖パネル３を開くときには、パネル材４を上下長さａ以上（上下間隙ｂ）持上げつつ手前に引っ張り出し、閉じるときには上下長さａ以上持上げつつ限界までパネル材４を閉じ揺動してから下ろせば良く、これらの操作は実施１，２の場合と同じである。
【００５７】
〔実施例４〕
袖パネル３のロック機構Ｂは、図１３，図１４に示す構成でも良い。即ち、実施例４によるロック機構Ｂは、段差前壁１６ｄに形成された上下２箇所の係止用孔５５と、その係止用孔５５に入り込んで係合可能に袖パネル３の裏面側に設けられる上下の引掛け縦板５６とで構成されている。引掛け縦板５６は、パネル材４の開き側（揺動軸心側と反対側）である右側壁４ａの裏面側に一対のビス３４で固定される本体部５６Ａと、パネル材４の切欠き孔５７から突設される本体部５６Ａの先端部にて下方突出する係合部５６Ｂと、を有する鋼板材で形成されている。尚、符記はしないが、係合部５６Ｂの手前側の角隅は傾斜カットされている。
【００５８】
袖パネル３が閉じされた作用姿勢では、図１３に示すように、本体部５６Ａ先端部が係止用孔５５に入り込み、かつ、係合部５６Ｂが段差前壁１６ｄの係止用孔５５の下側となる直下部分５８に上下長さａ重なる状態で引掛かっていて、袖パネル３の開き揺動を阻止する状態になっている。係止用孔５５の上下長さは十分あり、袖パネル３が上下長さｂで持上げられた状態での引掛け縦板５６の係止用孔５５からの離脱が可能である。袖パネル３を開くときには、パネル材４を上下長さａ以上（上下間隙ｂ）持上げつつ手前に引っ張り出し、閉じるときには上下長さａ以上持上げつつ限界までパネル材４を閉じ揺動してから下ろせば良く、これらの操作は実施１〜３の場合と同じである。
【図面の簡単な説明】
【００５９】
【図１】袖パネル付玄関ドアの略正面図（実施例１）
【図２】袖パネル等の支持構造を示す横断面図
【図３】袖パネルの揺動支持構造を示す縦断面図
【図４】袖パネルの簡易ロック構造を示す要部の縦断面図
【図５】袖パネルの開け方要領の模式図を示し、（ａ）は単純持上げ工程、（ｂ）は持上げ引張り工程
【図６】ロック機構及び受止め機構の構造を示す拡大の横断面図
【図７】受止め機構の構成を示す分解斜視図
【図８】ロック機構の第１別構造を示す要部の縦断面図（実施例２）
【図９】第１ロック機構の平面図
【図１０】第２ロック機構の平面図
【図１１】ロック機構の第２別構造（実施例３）を示し、（ａ）は要部の縦断面図、（ｂ）は（ａ）の矢印イ方向から見た要部の正面図
【図１２】図１１のロック機構を示す要部の平面図
【図１３】ロック機構の第３別構造を示す要部の縦断面図（実施例４）
【図１４】図１３のロック機構を示す要部の平面図
【符号の説明】
【００６０】
１          枠体
２Ａ        ドア材
３          袖パネル
４          パネル材
１７        建物の固定部
２７        ストッパ具
２８        揺動軸
３２        マグネットキャッチ
３３        ストッパ具を枠体に取付ける螺子
３４        係止片をパネル材へ取付ける螺子
３５        係止片
３５ａ      引掛り部
Ｂ          ロック機構
Ｃ          ロック解除機構
Ｄ          閉じ姿勢維持手段
Ｅ          機能設備
Ｑ          揺動軸の軸心
ａ          ストッパ具と係止片との干渉量
ｂ          パネル材の他方への移動量
【図１】
2010229753.tif 000003
【図２】
2010229753.tif 000004
【図３】
2010229753.tif 000005
【図４】
2010229753.tif 000006
【図５】
2010229753.tif 000007
【図６】
2010229753.tif 000008
【図７】
2010229753.tif 000009
【図８】
2010229753.tif 000010
【図９】
2010229753.tif 000011
【図１０】
2010229753.tif 000012
【図１１】
2010229753.tif 000013
【図１２】
2010229753.tif 000014
【図１３】
2010229753.tif 000015
【図１４】
2010229753.tif 000016